(57)【要約】【解決手段】導波体Gの曲がり部Bが角度が付けられた二つの切除領域201，202を有するように形成され、切除部は中央の曲がり点207の両側にそれぞれにある。角度が付けられた切除領域201、202は、少なくともひとつの内側の層102とひとつの外側の層101からなる導波体のクラッド層101の第一の面を貫いて伸びる。導波体Gは次ぎに、所望の角度曲げるために、中央の曲げ点207に関して、角度が付けられた切除領域で曲げられる。中央の曲げ点207は導波体Gを伝搬する光404が反射して、所望の角度曲がるように角度が付けられた反射面401を有する。
2006520005.tif 000002
【特許請求の範囲】
【請求項１】
導波体を曲げる方法であって、
第一および第二の側をもつ中央曲げ点の両方の側に、角度が付けられた切除部を形成する工程と、
導波体を所望の角度曲げるために、曲げ点に関して角度が付けられた切除部で導波体を曲げる工程と、
を含み、
前記角度が付けられた切除部は、少なくともひとつの内側層とひとつの外側層を含む導波体のクラッド層の第一の面を貫いて伸び、
中央の曲げ点は、導波体を伝搬する光が反射して所望の角度曲がるように、角度が付けられた反射面をもつ、ところの方法。
【請求項２】
導波体がポリマー製光学導波体である、請求項１に記載の方法。
【請求項３】
導波体がガラス製光学導波体である、請求項１に記載の方法。
【請求項４】
角度が付けられた切除部のそれぞれが、角度が付けられた切除部の頂点を通過する、導波体の縦軸に対して垂直な軸に関して、対称に形成される約45度の角度を形成する、請求項１に記載の方法。
【請求項５】
信号伝送コア要素および少なくともひとつのクラッド層を有するタイプで、曲がり部を有する導波体であって、
第一および第二の側をもつ中央曲げ点の両方の側に形成された、角度が付けられた切除部と、
導波体を所望の角度曲げるために、曲げ点に関して角度が付けられた切除部で曲げられる導波体と、
を含み、
前記角度が付けられた切除部は、少なくともひとつの内側層とひとつの外側層を含む導波体のクラッド層の第一の面を貫いて伸び、
中央の曲げ点は、導波体を伝搬する光が反射して所望の角度曲がるように、角度が付けられた反射面をもつ、ところの導波体。
【請求項６】
導波体がポリマー製光学導波体である、請求項５に記載の導波体。
【請求項７】
導波体がガラス製光学導波体である、請求項５に記載の導波体。
【請求項８】
角度が付けられた切除部のそれぞれが、角度が付けられた切除部の頂点を通過する、導波体の縦軸に対して垂直な軸に関して、対称に形成される約45度の角度を形成する、請求項５に記載の導波体。
【発明の詳細な説明】
【技術分野】
【０００１】
本出願は、「ポリマーまたはガラス製光学導波体用システム」と題する、2002年11月4日出願の米国仮出願第60/319,6687号に基づく。
【０００２】
本発明は、プリント回路基板（“PCB”）ドーターカードとPCB背面または中央面との間の光学的伝送のための光学的相互連結方法に関する。とくに、本発明は導波体の整合を維持する技術を使用して、PCBドーターカード−PCB背面/中央面で、90度曲げる方法を記述する。
【背景技術】
【０００３】
光学導波体は一般的に光伝送可能な材料のコアとひとつ以上のクラッド層から構成されている。コアは、合成プラスチック材またはポリマー、またはガラス材から作られている。さらに、コアおよびクラッド材の選択は、導波体部材が柔軟であるか、剛直であるかを決定する。
【発明の開示】
【発明が解決しようとする課題】
【０００４】
光学的な相互連結技術は、PCBドーターカードとPCB背面との間の光学的相互連結の目的のための、既知の導波体部材を90度曲げる方法として、信頼性に欠け、コストの面でも効果的でない。本発明は、柔軟なポリマー製導波体を90度曲げ、再度整合させるための効果的な解決策を提供する。
【課題を解決するための手段】
【０００５】
本発明は、両側（上側および下側）にまたはコア要素を囲む、低屈折率の材料からなる、少なくともひとつのクラッド層をもち、90度曲がったポリマー製光学導波層からなる。
【０００６】
エッチングまたはレーザー切除のようなマイクロ機械削り技術を使用して、上側のクラッド層および中間または中央層に位置する導波体を貫くように、二つの角度が付けられた切除面が機械削りされる。角度が付けられた切除面が接合するように上方の三つの層が曲げられたとき、接合部におけるこの角度の合計は90度である。
【０００７】
中央の折り曲げ点の両側のそれぞれに、接合部で45度の角度をもつ切除面が形成される。したがって、角度が付けられた反射面が、導波体を通過する光が90度曲がるように、形成される。
【０００８】
本発明のこれらおよび他の目的は、本発明の好適実施例を示す添付図面を参照して、以下の説明より明らかになろう。
【発明を実施するための最良の形態】
【０００９】
上記要約的に記載した本発明の説明は、図面に示され、以下に記述される実施例から分かるであろう。図面を通して、上記特徴は明らかになり、より理解されよう。図面は、本発明の典型的な好適実施例のみを示すのではなく、本発明の他の同等の実施例の理解を可能にする。
【００１０】
本発明の上記特徴、利点、目的、上述した手段は、添付図面に示された実施例を参照することにより、より理解されよう。図面において、同じ要素には同じ符号が付されている。
【００１１】
本発明の相互連結は、導波体を90度曲げる、安価で単純、かつユニークな方法を提供する。
【００１２】
図１は二つのクラッド層101、103に挟まれた内側要素102をもつ既知の導波体Gの側面図である。層101、103は信号の光404の内部反射を高めるために、低屈折率をもつ。層101は切除またはエッチされる上方クラッド層で、コア要素102も切除またはエッチされる導波層である。
【００１３】
コア要素102は光404のビームまたは光線のような選択された信号を伝送することができる特徴をもつプラスチック、ポリマーまたはガラス材からなる。
【００１４】
クラッド層103は切除はされないが曲げられる下方クラッド層である。この構成は剛性をもち通常の構成である。
【００１５】
図２は上方の二つの層101、102に形成された切除面の角度を示す。溝の領域201は切除またはエッチされた領域である。溝の領域201の一方の面から他方の面までは45度の開きをもつが、導波体を通過する縦軸線204に垂直な軸線203に関して対称となっている。
【００１６】
図３は、頂部から伸びる法線203から切除またはエッチされた面までの角度を示す。45度の角度は、法線203の両側にそれぞれ22.5度の対称的な角度301および302に分けられる。切除またはエッチされた領域201の二つの面304、205は、導波体Gが45度曲がることができるように、互いに密接して接合する。
【００１７】
同様に、導波体Gは、角度が付けられた切除領域202を形成する、向かい合った面が互いに接合するように、切除領域202の頂部から上に伸びる法線にそって曲げられる。
【００１８】
重なり合った、隣接する切除またはエッチされた領域201および202により全体として90度曲がることができる。図２に示されているように、角度が付けられた切除領域201および202には、折り曲げ部207で互いに交差する、角度がつけられて切除領域201の面205と角度が付けられた切除領域202の面206とが形成されている。折り曲げ部207は好適に、クラッド層101の外側面の間で、整合するように位置する。
【００１９】
図４は曲げられた構造を示し、信号の光404は導波層102を通過する。コア要素である導波層102の曲がり部Bの背面401で信号の光404は反射する。
【００２０】
導波体Gは二つのクラッド層をもつように図示されている。ひとつ以上のクラッド層により囲まれたコア要素である層102が導波体Gの中央縦軸線にそって測定し、カットすることより使用できることは分かるであろう。90度曲げられた導波体が図示されているが、90度より大きな角度またはそれよりも小さな角度が、切除領域201、202の角度を調節することにより同様にして形成できる。
【００２１】
本発明により記述された光学的相互連結が、従来の方法より低コストで単純に
導波体を90度曲げる方法を提供する。
【００２２】
本発明が従来技術よりすぐれた改良点をもつことは分かるであろう。本発明は、現存のPCB製造工程と容易に両立し、したがってプリント回路基板の製造のための典型的な工場で容易な製造をなすことができる。
【００２３】
上記の本発明の説明は例示であり、本発明の範囲から逸脱することなく、大きさ、形状、材料の変更が構成とともになし得ることは分かるであろう。
【図面の簡単な説明】
【００２４】
【図１】図１は変更前の既知の導波層およびクラッド層の側面図である。
【図２】図２は導波体の上部クラッド層に形成された45度の角度をもつ二つのノッチ切除面を示す。
【図３】図３は両切除面の縁から伸びる法線からの角度を示す。
【図４】図４は90度曲げられた導波体を示す。
【図１】
2006520005.tif 000003
【図２】
2006520005.tif 000004
【図３】
2006520005.tif 000005
【図４】
2006520005.tif 000006
【国際調査報告】
2006520005.tif 000007
2006520005.tif 000008